(57)【要約】【課題】障子の框組体の框を形状単純で自重が軽く、小さな力で障子を開閉できる建具とする。【解決手段】障子４の框組体４３の各框４０，４１，４２を見込み方向の一側に他側面材支持部４０ｃ，４１ｃ，４２ｃを有する形状とし、その他側面材支持部４０ｃ，４１ｃ，４２ｃに面材４４の見込み方向の他側面４４ａの周縁部を支持することで、障子４は面材４４の見込み方向の一側面４４ｂの周縁部が露出したものとして框組体４３の各框を形状単純で自重が軽く、障子４を小さな力で開閉できるようにする。枠体１０の見込み方向の一側部に四周連続した一側面材支持部を設け、障子４が閉じた状態で面材４４の見込み方向の一側面４４ｂの周縁部が一側面材支持部に当接し、耐風圧性を向上する。【選択図】図４
2014240547.tif 000002
【特許請求の範囲】
【請求項１】
枠体に障子を開閉自在に取り付けた建具であって、
前記枠体は、その見込み方向の一側に面内方向の内側に向かう一側面材支持部を四周連続して備え、
前記障子の框組体は、他側面材支持部を四周連続して有し、
前記障子の面材は、その見込み方向の他側面の周縁部が前記框組体の他側面材支持部に支持され、該面材の見込み方向の一側面の周縁部は外部に露出し、
前記障子を閉じた状態で、その面材の見込み方向の一側面の周縁部が、前記枠体の一側面材支持部に当接されるようにしたことを特徴とする建具。
【請求項２】
前記框組体は、その見込み方向の一側に、前記他側面材支持部よりも面内方向の外側で、かつ他側面材支持部よりも見込み方向の一側方に突出した一側突出部を四周連続して有し、
前記面材の周囲端面を、前記框組体の一側突出部で支持するようにした請求項１記載の建具。
【請求項３】
前記枠体の内周面と框組体の外周面との間に空間が形成され、
前記框組体の見込み方向の他側に、面内方向の外側に向かう外向部を四周連続して有し、
前記障子が閉じた状態で、前記外向部が枠体の見込み方向の他側面に接するようにした請求項１又は２記載の建具。
【請求項４】
前記枠体の一側面材支持部と面材の見込み方向の一側面の周縁部との接触部及び前記外向部と枠体の見込み方向の他側面との接触部にそれぞれ気密材を介在した請求項３記載の建具。
【請求項５】
前記枠体は、四周枠組みされた枠体が中間枠材で仕切られ、開き窓用開口部と嵌め殺し窓用開口部を形成し、
前記中間枠材は、見込み方向の一側部に、前記開き窓用開口部に向けて面内方向に突出し一側面材支持部となる支持部及び、前記嵌め殺し窓用開口部に向けて開口した面材支持凹部を有し、
前記障子が閉じ状態で、障子の面材の見込み方向の一側面の縦縁部が前記中間枠材の支持部に接し、
前記障子の面材の見込み方向の一側面と、中間枠材の面材支持凹部に支持した面材の見込み方向の一側面とが面一となるようにした請求項１〜４いずれか１項記載の建具。
【発明の詳細な説明】
【技術分野】
【０００１】
本発明は、内開き窓、外開き窓、カーテンウォール等の枠体に障子を開閉自在に取り付けた建具に関する。
【背景技術】
【０００２】
従来から、枠体に障子を開閉自在に取り付けた建具が種々提案されている。
例えば、特許文献１に上枠と下枠と左右の縦枠を枠組みした枠体に、上框と下框と左右の縦框を框組みした框組体内にガラス等の面材を装着した障子を開閉自在に取り付けた建具が開示されている。
この特許文献１に開示された建具は、内開き窓と嵌め殺し窓が左右方向に隣接した連窓である。
【先行技術文献】
【特許文献】
【０００３】
【特許文献１】特開２００６−６３５２４号公報
【発明の概要】
【発明が解決しようとする課題】
【０００４】
前述の建具は、框組体を形成する各框は面材装着用の内向き凹部を有する形状で、その各框の内向き凹部に面材の上縁部、下縁部、左右の縦縁部の四周縁部を挿入して室内側シール材、室外側シール材で支持している。
例えば、各框が框本体と押縁とで内向き凹部を有するものとし、その内向き凹部に面材の上縁部、下縁部、左右の縦縁部を挿入し、室内側シール材と室外側シール材で面材を見込み方向の室外側、室内側に動かないように支持している。
【０００５】
このように、従来の建具の障子は、その框組体を形成する各框が、面材を見込み方向の室内側、室外側に動かないように支持するために内向き凹部を有する形状、例えば框本体と押縁を有する形状であるから、各框は、面材の見込み方向の室内側を支持する室内側面材支持部と面材の見込み方向の室外側を支持する室外側面材支持部を有するので、形状複雑で自重が重く、障子を開閉する力が大きくなる。
また、框本体に面材を取り付けした状態で、框に押縁を取り付けて面材を框組体に取り付けているので、その面材の取り付けが面倒である。
【０００６】
本発明は、前述の課題を解決するためになされたもので、その目的は、障子の框組体の框が形状単純で自重が軽く小さな力で障子を開閉できると共に、框組体に面材を簡単に取り付けできるようにした建具とすることである。
【課題を解決するための手段】
【０００７】
本発明は、枠体に障子を開閉自在に取り付けた建具であって、
前記枠体は、その見込み方向の一側に面内方向の内側に向かう一側面材支持部を四周連続して備え、
前記障子の框組体は、他側面材支持部を四周連続して有し、
前記障子の面材は、その見込み方向の他側面の周縁部が前記框組体の他側面材支持部に支持され、該面材の見込み方向の一側面の周縁部は外部に露出し、
前記障子を閉じた状態で、その面材の見込み方向の一側面の周縁部が、前記枠体の一側面材支持部に当接されるようにしたことを特徴とする建具である。
【０００８】
本発明の建具においては、前記框組体は、その見込み方向の一側に、前記他側面材支持部よりも面内方向の外側で、かつ他側面材支持部よりも見込み方向の一側方に突出した一側突出部を四周連続して有し、
前記面材の周囲端面を、前記框組体の一側突出部で支持することができる。
このようにすれば、框組体の見込み方向の一側に面材を強固に支持できると共に、面材の周囲端面を保護することができる。
【０００９】
本発明の建具においては、前記枠体の内周面と框組体の外周面との間に空間が形成され、
前記框組体の見込み方向の他側に、面内方向の外側に向かう外向部を四周連続して有し、
前記障子が閉じた状態で、前記外向部が枠体の見込み方向の他側面に接することができる。
このようにすれば、障子を開閉する部品等を空間に設けることができる。
空間の見込み方向の一側は一側面材支持部で閉塞され、見込み方向の他側は外向部で閉塞されるから、見栄えが良い。
【００１０】
本発明の建具においては、前記枠体の一側面材支持部と面材の見込み方向の一側面の周縁部との接触部及び前記外向部と枠体の見込み方向の他側面との接触部にそれぞれ気密材を介在することができる。
このようにすれば、空間を通して雨水等が見込み方向に流れることを防止できる。
【００１１】
本発明の建具においては、前記枠体は、四周枠組みされた枠体が中間枠材で仕切られ、開き窓用開口部と嵌め殺し窓用開口部を形成し、
前記中間枠材は、見込み方向の一側部に、前記開き窓用開口部に向けて面内方向に突出し一側面材支持部となる支持部及び、前記嵌め殺し窓用開口部に向けて開口した面材支持凹部を有し、
前記障子が閉じ状態で、障子の面材の見込み方向の一側面の縦縁部が前記中間枠材の支持部に接し、
前記障子の面材の見込み方向の一側面と、中間枠材の面材支持凹部に支持した面材の見込み方向の一側面とが面一とすることができる。
このようにすれば、開き窓と嵌め殺し窓の隣り合う部分が連続して隙間が生じることがない。
【発明の効果】
【００１２】
本発明によれば、障子の框組体の各框を形状単純で自重が軽く、小さな力で障子を開閉できると共に、框組体に面材を簡単に取り付けできる。
また、障子が閉じ状態で面材の見込み方向の一側面の周縁部を枠体の一側面材支持部で支持するから、耐風圧性能が向上する。
しかも、障子の框組体が枠体の一側面材支持部で少なくとも一部が覆われ、見込み方向の一側からの見栄えが良い。
【図面の簡単な説明】
【００１３】
【図１】本発明の実施の形態を示す連窓の概略外観図である。
【図２】図１の開き窓の詳細縦断面図である。
【図３】図１の嵌め殺し窓の詳細縦断面図である。
【図４】図１の詳細横断面図である。
【図５】本発明の第２の実施の形態を示す連窓の横断図である。
【図６】図５の開き窓の縦断面図である。
【図７】図５の嵌め殺し窓の縦断面図である。
【図８】単窓の縦断面図である。
【図９】単窓の横断面図である。
【発明を実施するための形態】
【００１４】
図１に示すように、建具１は開き窓２と、この開き窓２と隣接した嵌め殺し窓３を有した窓、例えば開き窓２と嵌め殺し窓３が左右方向に隣接した連窓としてある。
建具１の枠体１０は、上枠１１と下枠１２と左右一方の縦枠１３と左右他方の縦枠１４を枠組みし、その上枠１１の長手方向中間と下枠１２の長手方向中間とに渡って中間縦枠１５を連結して開き窓用開口部１０ａと嵌め殺し窓用開口部１０ｂを有している。
【００１５】
枠体１０の開き窓用開口部１０ａに障子４が見込み方向に移動して開放するように取り付けて開き窓２としてある。
障子４は、上框４０と下框４１と左右の縦框４２，４２を框組みした框組体４３にガラス等の面材４４を取り付けてある。
嵌め殺し窓用開口部１０ｂにガラス等の面材３０を装着して嵌め殺し窓３を形成している。
【００１６】
次に、各部の詳細を図２乃至図４を参照して説明する。
なお、図２、図３で左右に向かう室内外側方向を見込み方向とし、その室外側を一側、室内側を他側とし、図２、図３で上下に向かう方向を面内方向とし、開口部の内方に向かう方向を内側、外方に向かう方向を外側とする。
図４では左右に向かう方向が面内方向で、上下に向かう方向が見込み方向である。
【００１７】
上枠１１、下枠１２、一方の縦枠１３、他方の縦枠１４は、ホロー部を有する本体１１ａ，１２ａ，１３ａ，１４ａと、この本体１１ａ，１２ａ，１３ａ，１４ａの見込み方向の一側に面内方向の内側に向けて一体に設けた支持部１１ｂ，１２ｂ，１３ｂ，１４ｂを有している。
中間縦枠１５は、本体１５ａと、この本体１５ａの見込み方向の一側に面内方向の内側に向けて一体に設けた支持部１５ｂを有している。
前記各枠１１，１２，１３，１４，１５の支持部１１ｂ，１２ｂ，１３ｂ，１４ｂ，１５ｂは見込み方向に同一位置で、上枠１１、下枠１２、一方の縦枠１３、中間縦枠１５の支持部１１ｂ，１２ｂ，１３ｂ，１５ｂは開き窓用開口部１０ａの見込み方向一側において四周連続し、障子４の面材４４の見込み方向の一側面４４ｂを支持する見込み方向一側の一側面材支持部で、見込み方向の他側方に向かう気密材１１ｃ，１２ｃ，１３ｃ，１５ｃが装着してある。
つまり、枠体１０の開き窓用開口部１０ａの見込み方向の一側部には四周連続した一側面材支持部を有している。
【００１８】
障子４の框組体４３を形成する上框４０、下框４１、左右の縦框４２，４２は、ホロー部を有する本体４０ａ，４１ａ，４２ａと、この本体４０ａ，４１ａ，４２ａの見込み方向の一側に見込み方向の一側に向けて設けた一側突出部４０ｂ，４１ｂ，４２ｂと、本体４０ａ，４１ａ，４２ａの見込み方向の一側に面内方向の内側に向けて設けた他側面材支持部４０ｃ，４１ｃ，４２ｃと、本体４０ａ，４１ａ，４２ａの見込み方向の他側に面内方向の外側に向けて設けた外向部４０ｄ，４１ｄ，４２ｄを有している。
この外向部４０ｄ，４１ｄ，４２ｄに見込み方向の一側に向かう気密材４０ｅ，４１ｅ，４２ｅが装着してある。
【００１９】
つまり、上框４０、下框４１、縦框４２は、他側面材支持部を有したホロー形状の本体の外側面と連続した板状の一側突出部と、本体の見込み方向の他側に設けた板状の外向部を有した同一断面形状で、矩形状に框組みされて框組体４３を形成し、框組体４３の見込み方向の一側には断面矩形の面材支持凹陥部を有している。
【００２０】
なお、上框４０、下框４１、縦框４２は一側突出部４０ｂ，４１ｂ，４２ｂを有していない形状であっても良い。
要するに、框組体４３は見込み方向の一側に面内方向に内側に向かう四周連続した他側面材支持部を有する形状であれば良く、一側突出部４０ｂ，４１ｂ，４２ｂを有していれば面材４４の周囲端面を保護できるから好ましい。
【００２１】
框組体４３に面材４４が次のように支持される。
図２に示すように、面材４４の上端面を上框４０の一側突出部４０ｂの下面に接着シール材５で気密して支持し、面材４４の見込み方向の他側面４４ａ上縁部を上框４０の他側面材支持部４０ｃに接着シール材５で気密して支持することで、面材４４の上縁部を上框４０で支持し、面材４４の見込み方向の一側面４４ｂの上縁部は上框４０で支持せずに外部に露出している。
【００２２】
図２に示すように、面材４４の下端面を下框４１の一側突出部４１ｂの上面に接着シール材５で気密して支持し、面材４４の見込み方向の他側面４４ａの下縁部を下框４１の他側面材支持部４１ｃに接着シール材５で気密して支持することで、面材４４の下縁部を下框４１で支持し、面材４４の見込み方向の一側面４４ｂの下縁部は下框４１で支持せずに外部に露出している。
【００２３】
図４に示すように、面材４４の左右の縦端面を左右の縦框４２の一側突出部４２ｂに接着シール材５で気密して支持し、面材４４の見込み方向の他側面４４ａの左右の縦縁部を左右の縦框４２の他側面材支持部４２ｃに接着シール材５で気密して支持することで、面材４４の縦縁部を縦框４２で支持し、面材４４の見込み方向の一側面４４ｂの縦縁部は縦框４２で支持せずに外部に露出する。
【００２４】
開き窓２はすべり出し窓としてあり、一方の縦框４２の本体４２ａに操作ハンドル６を取り付け、この操作ハンドル６を操作することで障子４が見込み方向の他側方に向けて開放移動するようにしてある。
【００２５】
このように障子４の框組体４３は押縁などの見込み方向一側の一側面材支持部を有していないので、框組体４３を形成する各框が単純形状で、自重が軽く、小さな力で障子４を開閉できる。
また、框組体４３の四周連続した一側突出部４０ｂ，４１ｂ，４２ｂ、他側面材支持部４０ｃ，４１ｃ，４２ｃに面材４４を嵌め込むようにして接着シール材５で支持することで面材４４を框組体４３に取り付けでき、その面材４４の取り付けが簡単である。
【００２６】
障子４を閉じた状態で面材４４の見込み方向の一側面４４ｂの周縁部（上縁部、下縁部、左右の縦縁部）が、上枠１１の支持部１１ｂ、下枠１２の支持部１２ｂ、一方の縦枠１３の支持部１３ｂ、中間縦枠１５の支持部１５ｂに押しつけられて当接するので、面材４４の耐風圧性能が向上し、面材４に大きな負圧が作用しても外れることがない。この実施の形態では気密材１１ｃ，１２ｃ，１３ｃ，１５ｃを介して各支持部に当接しているが、直接に当接しても良い。
【００２７】
しかも、框組体４３が各支持部１１ｂ，１２ｂ，１３ｂ，１５ｂで覆われ、見込み方向の一側から目視したときに、框組体４３が見えずに外観の見栄えが良い。
なお、框組体４３の一部が覆われるようにしても良い。
【００２８】
さらに、框組体４３の各框の外向部４０ｄ，４１ｄ，４２ｄが上枠１１の本体１１ａ、下框１２の本体１２ａ、一方の縦枠１３の本体の１３ａ、中間縦枠１５の本体１５ａの見込み方向の他側面１１ｄ，１２ｄ，１３ｄ，１５ｄにそれぞれ接し、框組体４３と枠体（上枠１１、下枠１２、一方の縦枠１３、中間縦枠１５）との間に形成した空間Ｓを閉塞して見込み方向の他側から見えないようにしてある。
このようであるから、前述の空間Ｓにリンク機構などの障子開閉用の部品を取り付けできると共に、その部品が見えないようにできる。
【００２９】
框組体４３と枠体との間に形成した空間Ｓは、気密材１１ｃ，１２ｃ，１３ｃ，１５ｃ及び気密材４０ｅ，４１ｅ，４２ｅで気密されるので、その空間Ｓを通して雨水等が見込み方向に流れることがない。
【００３０】
次に、嵌め殺し窓３について説明する。
中間縦枠１５は、本体１５ａの見込み方向の他側部にホロー部を有し、見込み方向の一側部に面内方向内側（他方の縦枠１４）に向かう面材支持凹部１５ｅを有している。
図３に示すように、上枠１１の本体１１ａ、下枠１２の本体１２ａの中間縦枠１５よりも他方の縦枠１４寄りの見込み方向の他側部、つまり、嵌め殺し窓用開口部１０ｂを形成する部分に押縁１１ｅ，１２ｅを取り付けて面材支持凹部１１ｆ，１２ｆを形成する。
図４に示すように、他方の縦枠１４の本体１４ｂの見込み方向の他側部に押縁１４ｃを取り付けて、面材支持凹部１４ｄを形成する。
【００３１】
そして、各面材支持凹部１１ｆ，１２ｆ，１４ｄ，１５ｅに面材３０の周縁部を嵌め込んで室内側シール材７、室外側シール材８で支持し、嵌め殺し窓部３とする。
【００３２】
このようであるから、開き窓２の面材４４の見込み方向の一側面と、嵌め殺し窓３の面材３０の見込み方向の一側面を面一に連続することができる。
また、枠体１０（上枠１１、下枠１２、一方の縦枠１３、他方の縦枠１４、中間縦枠１５）の見込み方向の一側面を面一に連続することができる。
【００３３】
図４に示すように、中間縦枠１５の支持部１５ｂに障子の面材４４の見込み方向の一側面４４ｂの縦縁部が当接するので、中間縦枠１５が開き窓２の面材４４と嵌め殺し窓３の面材３０とに渡って連続し、開き窓２と嵌め殺し窓３の隣り合う部分が連続して隙間が生じないので、見栄えが良い。
従来の特許文献１に開示した連窓であると、障子の一方の縦框と中間縦枠とが面内方向に離れ、開き窓と嵌め殺し窓との隣り合う部分に隙間が生じる。
【００３４】
前述の実施の形態は枠体１０の左側が嵌め殺し窓３で、右側が内開きの開き窓２である連窓であるが、図５乃至図７に示すように枠体１０の左側が外開きの開き窓２で、右側が嵌め殺し窓３である連窓とすることができる。
枠体１０の上枠１１、下枠１２、一方の縦枠１３、他方の縦枠１４を、ホロー形状の本体１１ａ，１２ａ，１３ａ，１４ａの見込み方向の他側に面内方向の内側に向かう内向部１１ｅ，１２ｅ，１３ｅ，１４ｅを有する形状とし、中間縦枠１５を前述の一方の縦框４２とする。
内向部１１ｅ，１２ｅ，１４ｅの開き窓用開口部１０ａを形成する部分に気密材１１ｆ，１２ｆ，１４ｆを見込み方向の一側に向けて装着し、各気密材１１ｆ，１２ｆ，１４ｆと中間縦枠１５の気密材４２ｅを四周連続する。
【００３５】
障子４の上框５０、下框５１、左右の縦框５２を前述の中間縦枠１５と同一の枠材とする。
その各内向き凹部１５ｅに面材４４の上縁部、下縁部、左右の縦縁部を挿入して室内側シール材７、室外側シール材８で支持することで障子４とする。
【００３６】
一方の縦枠１３及び上枠１１、下枠１２の嵌め殺し窓用開口部１０ｂを形成する部分に押縁６０を備えた補助枠材６１をそれぞれ取り付けて内向き凹部６２を有する形状とする。
この各内向き凹部６２に面材３０の上縁部、下縁部、一方の縦縁部を挿入して気密材６３，６４で支持する。
面材３０の他方の縦縁部（縦端面、見込み方向の他側面３０ａの縦縁部）は、中間縦枠１５である前述の縦框４２の一側突出部４２ｂ、他側面材支持部４２ｃに接着シール材５で支持する。
【００３７】
そして、障子４を閉じた状態で、各框の見込み方向の他側面１５ｄが気密材１１ｆ，１２ｆ，４２ｅ，１４ｆに接すると共に、上框５０、下框５１、他方の縦框５２の支持部１５ｂに装着した気密材１５ｃが上枠１１、下枠１２、他方の縦枠１４の見込み方向の一側面に接触する。
一方の縦框５２の支持部１５ｂに装着した気密材１５ｃが嵌め殺し窓３の面材３０の見込み方向の一側面３０ｂの一方の縦縁部に接して面材４４を支持する。
【００３８】
このようであるから、図４に示すように左側が嵌め殺し窓３、右側が開き窓２の連窓に用いた中間縦枠１５、縦框４２を、障子４の框組体４３の一方の縦框５２、嵌め殺し窓３の中間縦枠１５として兼用することができる。
【００３９】
つまり、左側の障子が外開き、嵌め殺しを選択可能で、右側の障子が内開き、嵌め殺しを選択可能とした連窓であって、その左側の障子の一方の縦框となる中間縦枠１５は、見込み方向室内側（他側）にハンドル等を固定できる外開きホロー部と、見込み方向室外側（一側）に面材支持凹部１５ｅである面材を保持する凹部を備え、その凹部の室外側見付け面に連続し、右側の障子の面材４４に気密材を介して当接する支持部１５ｂである内開き当接部とを一体に有し、中間縦枠１５と隣接した右側の障子の縦框４２は、見込み方向室外側（一側）に一側突出部４２ｂと他側面材支持部４２ｃにより略Ｌ字状の面材保持部と、室内側にハンドル等を固定できる内開きホロー部と、そのホロー部の室内側見付け面に連続し、中間縦枠１５のホロー部に当接する外向部４２ｄである外開き当接部とを一体に有するものとすることで、中間縦枠１５と、その中間縦枠１５と隣接した縦框を兼用とすることで、選択的に嵌め殺し窓と開き窓を設けることができる。
【００４０】
従来の連窓においては、左側が嵌め殺し窓、右側が開き窓の場合と、左側が開き窓、右側が嵌め殺し窓の場合では、前述した中間縦枠と、その中間縦枠と隣接した縦框がそれぞれ専用形状である。
【００４１】
前述のことは、嵌め殺し窓３と開き窓２が上下に隣接した段窓の場合でも同様である。
この場合には、上枠１１、下枠１２が縦枠で、一方の縦枠１３が上枠で、他方の縦枠１４が下枠で、中間縦枠が中間横枠となる。
つまり、枠体に中間枠材を取り付けて開き窓用開口部と嵌め殺し窓用開口部を有するものとする。
【００４２】
要するに、枠体１０に中間枠材を取り付けることで、枠体１０を中間枠材を境として隣接した一側開口部と他側開口部を有するものとし、その一側開口部の一方の障子は外開き、嵌め殺しを選択可能であり、他側開口部の他方の障子は内開き、嵌め殺しを選択可能として、一方の障子と他方の障子を連設した連窓又は段窓であって、前記一側開口部を形成する枠体は、見込み方向室内側にハンドル等を固定できる外開きホロー部と、室外側に面材を保持する凹部を備え、その凹部の室外側見付け面に連続し、他方の障子の面材に気密材を介して当接する内開き当接部とを一体に有し、前記他側開口部を形成する枠体は、見込み方向室外側に略Ｌ字状の面材保持部と、室内側にハンドル等を固定できる内開きホロー部と、そのホロー部の室内側見付け面に連続し、一側開口部を形成する枠体のホロー部に当接する外開き当接部とを一体に有することにより、選択的に嵌め殺し窓と開き窓を設けることができる。
【００４３】
前述の説明では、連窓、段窓について述べたが、単窓の場合も同様である。
例えば、図８及び図９に示すように、前述した上枠１１、下枠１２、一方の縦枠１３、他方の縦枠１４を枠組みして枠体１０とする。
障子４は、前述した上框４０、下框４１、左右の縦框４２を框組みした框組体４３に面材４４を取り付けたものとする。
そして、障子４が閉じた状態で面材４４の見込み方向の一側面４４ｂの周縁部を上枠１１の支持部１１ｂ、下枠１２の支持部１２ｂ、両方の縦枠１３，１４の支持部１３ｂ、１４ｂで支持するようにする。
【００４４】
前述の各説明では、開き窓２を内開き窓としたが、外開き窓などとすることができる。
【符号の説明】
【００４５】
１…建具、２…開き窓、３…嵌め殺し窓、４…障子、１０…枠体、１０ａ…開き窓用開口部、１０ｂ…嵌め殺し窓用開口部、１１…下枠、１１ａ…本体、１１ｂ…支持部（一側面材支持部）、１２…下枠、１２ａ…本体、１２ｂ…支持部（一側面材支持部）、１３…一方の縦枠、１３ａ…本体、１３ｂ…支持部（一側面材支持部）、１５…中間縦枠（中間枠材、縦枠）、１５ａ…本体、１５ｂ…支持部（一側面材支持部）、４０…上框、４０ａ…本体、４０ｂ…一側突出部、４０ｃ…他側面材支持部、４１…下框、４１ａ…本体、４１ｂ…一側突出部、４１ｃ…他側面材支持部、４２…縦框、４２ａ…本体、４２ｂ…一側突出部、４２ｃ…他側面材支持部、４３…框組体、４４…面材、４４ａ…見込み方向の一側面、４４ｂ…見込み方向の他側面。
【図１】
2014240547.tif 000003
【図２】
2014240547.tif 000004
【図３】
2014240547.tif 000005
【図４】
2014240547.tif 000006
【図５】
2014240547.tif 000007
【図６】
2014240547.tif 000008
【図７】
2014240547.tif 000009
【図８】
2014240547.tif 000010
【図９】
2014240547.tif 000011